(57)【要約】【課題】現在位置において実際に受信可能な放送チャネルと、受信不可能な放送チャネルとを一度に表示すること。【解決手段】携帯端末１００は、チューナ部１４０で放送信号を受信して、選局リスト処理部１３５で放送信号のチャネルが登録される選局リストを作成する。この作成された選局リストは、選局リスト表示制御部１３６により表示部１１２に表示される。表示部１１２に表示された選局リストでは、登録されたチャネルに対応する受信状況が、受信状況判断部１３３及び受信状況表示制御部１３４によって、表示画像として、対応するチャネルに関連付けて表示される。【選択図】図１
2008092527.tif 000002
【特許請求の範囲】
【請求項１】
放送信号を受信する受信手段と、
前記受信手段により受信した放送信号のチャネルが登録されるチャネルリストを作成するリスト作成手段と、
作成された前記チャネルリストを表示部に表示するリスト表示手段と、
前記受信手段を制御して、前記チャネルリストに登録された前記チャネルをスキャンして、前記チャネルの受信状況を判断する受信状況判断手段と、
前記受信状況判断手段で判断される前記チャネルの受信状況を表示画像として、前記表示部に表示されている前記チャネルリスト上に、対応する前記チャネルに関連付けて表示する受信状況表示手段と、
を備えることを特徴とする放送受信機能付き携帯端末。
【請求項２】
前記受信状況表示手段は、前記表示画像を、前記受信状況判断手段での判断時点からの経過時間に応じて、異なる表示形態で表示することを特徴とする請求項１記載の放送受信機能付き携帯端末。
【請求項３】
前記受信状況表示手段は、前記表示画像を、前記受信状況判断手段により判断されたチャネルの受信状況を示す受信電界強度の度合に対応した表示形態で表示することを特徴とする請求項１記載の放送受信機能付き携帯端末。
【請求項４】
前記リスト作成手段は、前記受信手段の受信位置に対応してチャネルリストを作成するものであり、
前記リスト作成手段により作成された前記チャネルリストを記憶する記憶手段と、
前記受信状況判断手段によって、前記表示部に表示されているチャネルリストにおけるチャネルの受信状況が受信不可状況であると判断された場合、前記記憶手段に記憶されている他のチャネルリストを選択する選択手段とを有し、
前記選択手段により前記他のチャネルリストが選択される場合、前記リスト表示手段は、前記表示部に表示されているチャネルリストを前記他のチャネルリストに切り替えて表示するとともに、前記受信状況判断手段は、前記他のチャネルリストにおけるチャネルの受信状況を判断することを特徴とする請求項１記載の放送受信機能付き携帯端末。
【請求項５】
前記受信状況判断手段が前記チャネルリストのチャネルの受信状況を判断して、前記チャネルリストの全てのチャネルを受信不可であると判断した場合、前記受信手段を用いてチャネルサーチを行い、前記リスト作成手段に新規のチャネルリストを作成させる制御手段を有することを特徴とする請求項１記載の放送受信機能付き携帯端末。
【請求項６】
受信した放送信号のチャネルが登録されるチャネルリストを作成するリスト作成ステップと、
作成された前記チャネルリストを表示部に表示するリスト表示ステップと、
前記チャネルリストに登録された前記チャネルをスキャンして、前記チャネルの受信状況を判断する受信状況判断ステップと、
前記受信状況判断ステップで判断される前記チャネルの受信状況を示す表示画像を、前記表示部に表示されている前記チャネルリスト上に、対応する前記チャネルに関連付けて表示する受信状況表示ステップと、
を有することを特徴とするチャネル表示方法。
【発明の詳細な説明】
【技術分野】
【０００１】
本発明は、携帯端末に関し、特に、テレビジョン、ラジオなどの放送を受信する放送受信機能を有する携帯端末及びチャネル表示方法に関する。
【背景技術】
【０００２】
広く利用されている携帯電話機では、電話として通話する機能や電子メールやテレビ電話、さらにはインターネットを利用する機能に加えて、地上波テレビジョン放送やラジオ放送などを視聴する機能の搭載がするものがある。
【０００３】
例えば、テレビジョン放送を視聴する機能を有する携帯電話機では、テレビジョン放送は地域毎で異なるため、所在位置において、受信可能な放送チャネルをチャネルリストとして設定し、視聴する際には、チャネルリストから所望のチャネルを選択して表示する。
【０００４】
また、このような携帯電話機では、ユーザの移動によって受信できるテレビジョン放送の放送地域の変化や放送局数の変化によって、受信可能なチャネルは変化するため、ユーザは、受信可能なチャネルを手動でスキャンする必要がある。この問題に対するものとしては、例えば、特許文献１記載に示す地上波デジタル放送受信機が知られている。
【０００５】
特許文献１に示す地上波デジタル放送受信機は、チャネルを受信するメインチューナとサブチューナの２つチューナを備え、チャネルを視聴する際に、事前にサブチューナで受信する全チャネルをスキャンする。
【０００６】
そして、このスキャンでチャネルの周波数強度が閾値以上であるものを視聴可能であるとしてチャネルリストを作成し、このチャネルリストを用いて、メインチューナは、周波数強度が閾値以上のチャネルを受信可能なチャネルとしてスキャンする。メインチューナで放送を受信している間、サブチューナは、チャネルリストのチャネルを常に定期的にスキャンし、今まで受信できなかったチャネルを受信できれば、チャネルリストに新規に追加して、メインチューナに再びスキャンさせる。
【特許文献１】特開２００６−１３９４５号公報
【発明の開示】
【発明が解決しようとする課題】
【０００７】
ところで、このような携帯端末としての携帯電話機を用いて、テレビジョン放送などを視聴する場合、携帯電話機の移動に伴い、受信環境は時々刻々と変化する。このため、現在位置において、実際に受信可能なチャネル及び受信不可能なチャネルはどれか等、現在位置において視聴可能なチャネルの受信状況を容易に確認したいという要望がある。特許文献１には、この地上波デジタル放送受信機において、チャネルリストでチャネルを選択してメインチューナで放送を受信する際に、現在位置において受信可能なチャネル及び受信不可能なチャネルを確認する点については開示されていない。
【０００８】
本発明はかかる点に鑑みてなされたものであり、現在位置において視聴可能なチャネルの受信状況を容易に確認させることができる放送受信機能付き携帯端末及びチャネル表示方法を提供することを目的とする。
【課題を解決するための手段】
【０００９】
本発明の放送受信機能付き携帯端末は、放送信号を受信する受信手段と、前記受信手段により受信した放送信号のチャネルが登録されるチャネルリストを作成するリスト作成手段と、作成された前記チャネルリストを表示部に表示するリスト表示手段と、前記受信手段を制御して、前記チャネルリストに登録された前記チャネルをスキャンして、前記チャネルの受信状況を判断する受信状況判断手段と、前記受信状況判断手段で判断される前記チャネルの受信状況を表示画像として、前記表示部に表示されている前記チャネルリスト上に、対応する前記チャネルに関連付けて表示する受信状況表示手段とを備える構成を採る。
【発明の効果】
【００１０】
以上説明したように、本発明によれば、チャネルリスト上に、現在位置において実際に受信可能な放送チャネルと、受信不可能な放送チャネルとを表示して視認させることによって、現在位置において視聴可能なチャネルの受信状況を容易に確認させることができる。
【発明を実施するための最良の形態】
【００１１】
以下、本発明の実施の形態について、図面を参照して詳細に説明する。
【００１２】
図１は、本発明の一実施の形態に係る放送受信機能付き携帯端末１００の構成を示すブロック図である。
【００１３】
放送受信機能付き携帯端末（以下、「携帯端末」）１００は、携帯電話機であり、ここでは受信する放送として、地上波デジタル放送などのテレビジョン放送を受信する機能を有するものとする。なお、放送を受信する機能を有する携帯端末１００であればどのような端末でもよく、ラジオやアナログテレビジョンなどのアナログ放送等を受信する機能を有する端末であってもよい。
【００１４】
携帯端末１００は、アンテナ１０２を介して図示しない基地局と無線通信を行う無線部１０４と、スピーカ１０６と、マイク１０８と、キー入力部１１０と、表示部１１２と、メモリ１１４と、メイン制御部１２０と、ＴＶ視聴制御部１３０と、チューナ部１４０とを有する。
【００１５】
無線部１０４、スピーカ１０６、マイク１０８、キー入力部１１０、表示部１１２、メモリ１１４はメイン制御部１２０に接続されており、メイン制御部１２０により制御される。
【００１６】
このメイン制御部１２０は、携帯端末全体の制御を行うものであり、無線制御部１２１、音声制御部１２２、キー制御部１２３、表示制御部１２４及びメモリ制御部１２５を有する。
【００１７】
メイン制御部１２０は、無線制御部１２１、音声制御部１２２、キー制御部１２３、表示制御部１２４及びメモリ制御部１２５により、スピーカ１０６、マイク１０８、キー入力部１１０、表示部１１２、メモリ１１４を制御して他の携帯端末（携帯電話機等）との間の通話を可能にする。
【００１８】
また、音声制御部１２２、キー制御部１２３、表示制御部１２４及びメモリ制御部１２５は、メイン制御部１２０に接続されたＴＶ視聴制御部１３０を介して、ＴＶ視聴制御に用いられる。
【００１９】
例えば、音声制御部１２２、表示制御部１２４は、ＴＶ視聴制御部１３０を介して、入力された放送の音声をスピーカに出力したり、映像を表示部１１２に出力したりする。また、キー制御部１２３は、ＴＶ視聴の際に、キー入力部１１０から入力されるチャネルリスト（以下、「選局リスト」という）の表示、選択、チャネルの選択、ＴＶ視聴の終了などの操作信号をＴＶ視聴制御部１３０に出力する。
【００２０】
また、これら音声制御部１２２、キー制御部１２３、表示制御部１２４及びメモリ制御部１２５は、ＴＶ視聴制御部１３０の制御に基づいた処理を行う。
【００２１】
このように携帯端末１００は、ＴＶ視聴制御部１３０によって、アンテナ１４１を介してチューナ部１４０が受信した放送信号のチャネルを制御して、メイン制御部１２０を介して、スピーカ１０６、表示部１１２に出力する。これにより、携帯端末１００は、ユーザに対して、放送を視聴させる。
【００２２】
チューナ部１４０は、アンテナ１４１を介して放送信号を受信し、ＴＶ視聴制御部１３０により制御される。
【００２３】
ＴＶ視聴制御部１３０は、チューナ部１４０を制御するチューナ制御部（選択手段）１３２と、受信状況判断部１３３と、受信状況表示制御部１３４と、選局リスト処理部１３５と、選局リスト表示制御部１３６とを有する。
【００２４】
チューナ制御部１３２は、チューナ部１４０を制御して受信する放送信号のチャネルをスキャンして選局する。
【００２５】
具体的には、チューナ制御部１３２は、選局リスト表示制御部１３６によって表示部１１２に選局リストとして一覧表示されるチャネルを順に切り替えて選曲して、受信する放送信号のスキャンを行うようにチューナ部１４０を制御する。
【００２６】
また、チューナ制御部１３２は、チューナ部１４０を介して受信する放送信号のチャネルに対して行うスキャンを行う際のスキャン回数を設定し、設定した回数で放送信号のチャネルスキャンを実施する。
【００２７】
受信状況判断部１３３は、チューナ制御部１３２によるチューナ部１４０の制御によりスキャンした放送信号のチャネルの受信状況を判断する。
【００２８】
具体的には、受信状況判断部１３３は、チャネルの受信状況、ここでは、受信するチャネルの受信電界強度の強弱で段階的に判定するように構成されている。受信状況判断部１３３は、チャネルの受信可能な受信電界強度を、例えば、「強」、「普通」、「やや弱」、「弱」等のような複数段階（ここでは４段階）で判断し、これに加えて受信不能な受信電界強度を判断する。
【００２９】
受信状況表示制御部１３４は、受信状況判断部１３３により判断されるチャネルの受信状況を、受信状況に対応した表示画像（例えばアイコンなど）として、メイン制御部１２０を介して表示部１１２に表示して制御する。
【００３０】
具体的には、受信状況表示制御部１３４は、チャネルの受信状況画像を、表示部１１２に選局リストとして一覧表示されているチャネルに対応して、当該選局リスト上に表示する。
【００３１】
詳細には、受信状況表示制御部１３４は、チャネルの受信状況を、その受信電界強度に応じて異なる表示形態（例えば、チャネルの受信電界強度を「強」、「普通」、「やや弱」、「弱」とした場合に、これらに対応したアンテナマークでバーの本数０本から３本、本数が多いほど受信電界強度が強い）で受信状況画像を表示する。
【００３２】
また、受信状況表示制御部１３４は、表示部１１２に表示する受信状況画像を、受信状況に対応した表示形態で表示することに加えて、チャネルスキャン中のものと、既にスキャンされたものとは異なる形態で表示する。言い換えれば、受信状況表示制御部１３４はメイン制御部１２０を介して表示部１１２に、表示画像を、受信状況判断部１３３での判断時点からの経過時間に応じて、異なる表示形態で表示する。
【００３３】
例えば、受信状況表示制御部１３４は、受信状況判断部１３３によって実際に判断されているチャネルの受信状況と、既に判断されたチャネルの受信状況とを異なる表示色でそれぞれ表示する。実際に判断されているチャネルの受信状況の表示を、例えばリアルタイム表示、リアルタイム性を有する表示、表示形態等ともいう。また、既に判断されたチャネルの受信状況の表示を、例えば、非リアルタイム表示、非リアルタイム性を有する表示或いは表示画像、非リアルタイム性を示す表示形態或いは表示画像等ともいう。
【００３４】
選局リスト処理部１３５は、チューナ制御部１３２、受信状況判断部１３３を用いて、チューナ部１４０で受信する放送信号をスキャンして得られた受信可能なチャネルを登録して、チャネル一覧としての選局リストを作成する。
【００３５】
また、選局リスト処理部１３５は、作成した選局リストをメイン制御部１２０のメモリ制御部１２５を介してメモリ１１４に保存する。この選局リストは、携帯端末１００の所在地が変更されることにより、それぞれの所在地毎で異なることが一般的である。例えば、地方毎に作成される選局リストは、それぞれの地方における放送局の放送に対応するため、異なったものとなる。なお、この選局リストによって登録されたチャネルは、チューナ制御部１３２により選局されるチャネルとなる。
【００３６】
選局リスト表示制御部１３６は、キー入力部１１０から入力される信号を受けたメイン制御部１２０のキー制御部１２３からの信号を受けて、選局リスト処理部１３５において作成された選局リストを、メイン制御部１２０を介して表示部１１２に表示する。例えば、選局リスト表示制御部１３６は、キー入力部１１０からの入力される信号を受けて、登録済みの選局リスト、つまり、メモリ１１４に既に保存された選局リストがあるか否かを判定し、あれば、その選局リストを表示部１１２に表示する。
【００３７】
次に、本実施の形態に係る携帯端末１００において、ＴＶ視聴制御部１３０によりＴＶ視聴を行う際の処理を説明する。
【００３８】
図２は、本発明の一実施の形態に係る放送受信機能付き携帯端末１００でＴＶ視聴を行う際の動作を説明するためのフローチャートである。
【００３９】
図２に示すように、まず、ステップＳ２０１では、ＴＶ視聴制御部１３０は、登録済みの選局リストがあるか否かを判定して、登録済みの選局リストがなければステップＳ２０２に移行し、有ればステップＳ２０３に移行する。
【００４０】
具体的に、このステップＳ２０１での処理では、ユーザがキー入力部１１０を介して選局リスト選択表示が行われた際に、選局リスト表示制御部１３６は、メモリ１１４に、記憶済みの選局リスト、つまり、登録済みの選局リストが有るか否かを判定する。
【００４１】
ステップＳ２０２では、ＴＶ視聴制御部１３０は、チューナ制御部１３２により、チューナ部１４０で受信する放送信号にチャネルサーチを実施し、受信可能なチャネルを選局リストに新規に登録してステップＳ２０３に移行する。
【００４２】
ステップＳ２０３では、ＴＶ視聴制御部１３０は、選局リスト表示制御部１３６により、キー入力部１１０を介して選択された選局リスト名に対応する選局リストをメモリ１１４から選択して表示する。
【００４３】
ステップＳ２０４では、ＴＶ視聴制御部１３０は、チューナ制御部１３２を介してチューナ部１４０を起動して、ステップＳ２０５に移行する。
【００４４】
ステップＳ２０５では、ＴＶ視聴制御部１３０は、チューナ部１４０が起動したか否かを判定し、起動していなければ、ステップＳ２０４の処理に戻り、起動していれば、ステップＳ２０６に移行する。
【００４５】
ステップＳ２０６では、ＴＶ視聴制御部１３０は、選局リストにおけるチャネルの受信状況の表示処理を行い、ステップＳ２０７に移行する。なお、チャネルの受信状況の表示処理とは、受信状況の確認と、受信状況結果の表示と、選局リストの切り替え等の受信状況確認処理を示す。また、このステップＳ２０６の選局リストにおけるチャネルの受信状況を表示する処理の詳細は後述する。なお、このステップＳ２０６では、表示部１１２に受信状況と共に表示されるチャネルのうちいずれかが、視聴されるものとして選択されるものとする。
【００４６】
ステップＳ２０７では、ＴＶ視聴制御部１３０は、ステップＳ２０６において、表示部１１２に表示された選局リスト上でチャネルが選択された際の、選択されたチャネルの映像／音声処理を行い、選択されたチャネルを視聴させる。例えば、ＴＶ視聴制御部１３０は、選択されたチャネルの映像処理を行う場合には、選択されたチャネルの映像を表示部１１２に表示するとともに、同選択されたチャネルの音声処理を行い、選択されたチャネルの音声をスピーカ１０６に発音させる。なお、ＴＶ視聴制御部１３０によるＴＶ視聴処理は、選択されたチャネルの映像／音声処理の何れかを行って、一方を視聴させるものとしても良い。
【００４７】
具体的には、ステップＳ２０７では、表示部１１２に表示される選局リスト上のチャネルが、キー入力部の操作によって選択されることによって、選択されたチャネルを示す選択信号が、メイン制御部１２０を介してＴＶ視聴制御部１３０に入力される。ＴＶ視聴制御部１３０では、チューナ制御部１３２が、入力された選択信号の示すチャネルをチューナ部１４０で選局して、メイン制御部１２０の表示制御部１２４を介して表示部１１２に表示し、ユーザにＴＶ視聴させる。また、メイン制御部１２０は、選局したチャネルの音声制御部１２２で、処理して、スピーカ１０６で発音させる。これにより、携帯端末１００は、ユーザに対して、選択されたチャネルを視聴させる。
【００４８】
ステップＳ２０８では、ＴＶ視聴制御部１３０は、チューナ部１４０を介して選局されているチャネルの映像表示中に、メイン制御部１２０を介してキー入力部１１０から入力される信号に基づいて、ＴＶ視聴を終了するか否かを判定する。
【００４９】
具体的には、ＴＶ視聴中に、キー入力部１１０から視聴終了の信号がメイン制御部１２０のキー制御部１２３を介してＴＶ視聴制御部１３０に入力されれば、ＴＶ視聴制御部１３０は、ＴＶ視聴終了と判定して、ステップＳ２０９に移行する。なお、ＴＶ視聴中に、つまり、放送チャネルを表示部１１２やスピーカ１０６に出力中に、視聴終了の信号がＴＶ視聴制御部１３０に入力されなければ、ＴＶ視聴制御部１３０は、ＴＶ視聴を終了しないと判定して、入力があるまで、ステップＳ２０８を繰り返す。
【００５０】
ステップＳ２０９では、ＴＶ視聴制御部１３０では、チューナ制御部１３２がチューナ部１４０の駆動を停止して、ステップＳ２１０に移行する。
【００５１】
ステップＳ２１０では、ＴＶ視聴制御部１３０は、チューナ部１４０が駆動停止したか否かを判定する。
【００５２】
このステップＳ２１０において、チューナ部１４０の駆動が停止されていると判定すれば処理を終了し、駆動が停止していないと判定すれば、チューナ部１４０の駆動が停止するまで、この処理を繰り返す。
【００５３】
図３Ａ及び図３Ｂは、本発明の一実施の形態に係る放送受信機能付き携帯端末の動作を説明するためのものであり、図２においてステップＳ２０６で示すチャネル受信状況の表示処理を説明するフローチャートである。
【００５４】
図４は、本発明の一実施の形態に係る放送受信機能付き携帯端末の動作に対応する表示部の表示例を示す図であり、受信状況確認処理によって表示部に表示される受信状況確認表示の変化の一例を示している。なお、図４に示すハッチング領域２０３は、キー入力部１１０（図１参照）の操作によって、選局リスト上を上下方向に移動し、所望のチャネル表示領域を反転させて、視聴するチャネルとして選択可能にするものである。
【００５５】
ステップＳ３０１では、ＴＶ視聴制御部１３０は、チューナ制御部１３２によって、チャネルの受信状況を確認するために行うチャネルのスキャン回数を設定し、ステップＳ３０２に移行する。
【００５６】
ステップＳ３０２では、ＴＶ視聴制御部１３０は、選択した選局リストにおいて先頭に設定されているチャネルをチューナ制御部１３２により選局し、ステップＳ３０３に移行する。
【００５７】
ステップＳ３０３では、ＴＶ視聴制御部１３０のチューナ制御部１３２は、選局したチャネルをスキャンし、そのスキャンした情報を受信状況判断部１３３が判断することにより当該チャネルの受信状況を確認して、ステップＳ３０４に移行する。
【００５８】
ステップＳ３０４では、受信状況判断部１３３が、スキャンしたチャネルにおける受信状況判断を終了したか否かを判断し、確認が終了していなければステップＳ３０３に戻り、確認が終了していれば、ステップＳ３０５に移行する。
【００５９】
ステップＳ３０５では、ＴＶ視聴制御部１３０は、確認したチャネルの受信状況を、表示部１１２の選局リストに、リアルタイムであることが判る表示形態で表示する。
【００６０】
具体的には、ステップＳ３０５では、受信状況表示制御部１３４が、受信状況判断部１３３により判断されたチャネルの受信状況を、リアルタイム性を有する表示画像（受信状況画像）として、表示部１１２における選局リスト上の、対応するチャネルに対応付けて表示する。
【００６１】
ステップＳ３０５では、表示部１１２に、図４（ａ）の表示画面２０１が表示される。ここでは、受信状況画像Ｐ１は、リアルタイム性を表示色（例えば赤色）で示し、チャネルの受信状況（受信電界強度）をアンテナマークのバーＰ２の本数で示している。また、このステップＳ３０５において、チャネルの受信状況を示す表示画像（受信状況画像）を表示する際に、当該チャネルの受信が不能である場合、その旨を示す画像として表示する。例えば、アンテナマークのバーを表示せず、「×」等の表示例（図４（ｄ）の「４ｃｈ：Ｄ放送局」のチャネルにおける受信状況画像参照）が挙げられる。
【００６２】
図３に示すステップＳ３０６では、チャネルの受信状況の確認を終了するか否かを判定する。
【００６３】
このステップＳ３０６におけるチャネルの受信状況確認の終了についての判定は、選局リスト上のチャネルが、キー入力部１１０の操作により選択されて、その旨を示す信号がメイン制御部１２０を介してＴＶ視聴制御部１３０に入力されることにより行われる。
【００６４】
具体的には、ステップＳ３０６の判定は、選局リストにおいて、リアルタイムで受信状況が確認されたチャネル、又は、既に受信状況が確認されたチャネルが、視聴するチャネルとして選択された際に入力される選択信号により行われる。選択信号がＴＶ視聴制御部１３０に入力されれば、ＴＶ視聴制御部１３０は、受信状況確認終了と判断して、処理を終了してステップＳ２０７に戻り、選択信号が入力されなければステップＳ３０７に移行する。
【００６５】
ステップＳ３０７では、ＴＶ視聴制御部１３０は、メイン制御部１２０を介して、表示部１１２にて、受信状況がリアルタイム表示されているチャネルを、非リアルタイム性を示す表示形態である蓄積中の表示（既に受信状況が確認されたことを示す表示）に切り替えて、ステップＳ３０８に移行する。
【００６６】
具体的に、ステップＳ３０７では、受信状況表示制御部１３４が、表示部１１２に表示されている選局リスト上で、受信状況をリアルタイムで表示しているチャネルの受信状況画像を、蓄積中の受信状況画像に切り替える。なお、これら表示画像の切り替え処理は、メイン制御部１２０の表示制御部１２４を介して行われる。
【００６７】
このステップＳ３０７の処理によって、表示部１１２には、例えば、図４（ｂ）の「１ｃｈ：Ａ放送局」の受信状況表示画像Ｐ３が表示される。この図４（ｂ）の「１ｃｈ：Ａ放送局」の受信状況表示画像Ｐ３は、図４（ａ）のリアルタイム表示である受信状況表示画像Ｐ１とは異なる表示形態、ここでは、リアルタイム表示と異なる色の表示形態で表示されている。なお、図４（ａ）の「１ｃｈ：Ａ放送局」の受信状況表示画像Ｐ１は、受信確認処理のリアルタイム性を示すものとして、例えば、表示色「赤」で表示されている。一方、図４（ｂ）の「１ｃｈ：Ａ放送局」の受信状況表示画像Ｐ３は、蓄積中の受信状況確認を示すものとして、例えば、表示色「青」で表示されている。
【００６８】
なお、チャネルの受信状況を示す受信状況表示画像における、蓄積中の表示形態とリアルタイム受信確認時の表示形態は、両状態を識別できればどのように表示されてもよい。例えば、リアルタイムに受信状況を確認したリアルタイム受信状況確認データの表示画像を点滅で表示し、蓄積された受信状況確認データの表示画像を、リアルタイム受信状況確認データの表示画像と同様の画像の点灯画像で示すようにしてよい。また、逆に、リアルタイム受信状況確認時を点灯で、蓄積中の受信状況確認データを点滅画像で表示するようにしてよい。
【００６９】
ステップＳ３０８では、ＴＶ視聴制御部１３０は、受信状況の確認を行ったチャネルが、表示部１１２に表示している選局リストにおいて最後尾であるか否かの判定を行い、最後尾で無ければステップＳ３０９に移行し、最後尾で有ればステップＳ３１０に移行する。
【００７０】
具体的に、ステップＳ３０８では、選局リスト表示制御部１３６によって表示部１１２に表示されている選局リストにおいて、チューナ制御部１３２が、受信状況を確認するチャネルがあるか否かを判定している。
【００７１】
ステップＳ３０９では、ＴＶ視聴制御部１３０のチューナ制御部１３２が、選局リストにおいて、次に登録されているチャネルを選局する。次に登録されているチャネルを選局した後、ステップＳ３０３に戻って、選局したチャネルの受信状態を確認し、表示する処理を行う。
【００７２】
このように、ステップＳ３０３〜ステップＳ３０９を繰り返して、選局リストに登録されているチャネルは、ＴＶ視聴制御部１３０によって受信状態を順次確認され、その受信状況を順次、受信表示画像として表示部に表示される。
【００７３】
ここで、本実施の形態の携帯端末１００におけるステップＳ３０３〜ステップＳ３０９の処理に対応する表示例を、図４（ａ）〜図４（ｄ）を用いて詳細に説明する。
【００７４】
図４（ａ）では、「１ｃｈ：Ａ放送局」のチャネルをスキャンして受信状況を確認しているため、その受信状況はリアルタイム性を有する受信状況画像で表示されている。
【００７５】
この選局リストにおいてＴＶ視聴制御部１３０により「１ｃｈ：Ａ放送局」の受信状況が確認された際に、この選局リストでは「１ｃｈ：Ａ放送局」の次には、「２ｃｈ：Ｂ放送局」が登録されている。よって、「１ｃｈ：Ａ放送局」は、表示部１１２の表示画面２０１に表示されている選局リストの最後尾ではない。このため、ＴＶ視聴制御部１３０では、「１ｃｈ：Ａ放送局」の受信状況確認の後、チューナ制御部１３２が、次に登録されている「２ｃｈ：Ｂ放送局」のチャネルを選局し、チューナ部１４０を対応させて「２ｃｈ：Ｂ放送局」のチャネルをスキャンする。
【００７６】
図４（ｂ）では、「１ｃｈ：Ａ放送局」の受信状況表示画像が、受信状況表示制御部１３４によって、リアルタイム性を有する受信状況表示画像から非リアルタイム性を有する受信状況表示画像、つまり、蓄積中のデータである事を示す受信状況表示画像に切り替えられている。加えて、図４（ｂ）では、「２ｃｈ：Ｂ放送局」のチャネルがチューナ部１４０によりスキャンされており、その受信状況が、リアルタイム性を有する受信状況表示画像Ｐ４で示されている。なお、「１ｃｈ：Ａ放送局」の受信状況を示す受信状況画像は、受信状況良好であったため、受信電界強度を示すバーは３本とMAXとなっており、このMAXを示した状態のまま、非リアルタイム性を示す受信状況画像Ｐ３で表示されている。
【００７７】
図４（ｂ）では、表示画面２０１の選局リストにおいて、ＴＶ視聴制御部１３０により「２ｃｈ：Ｂ放送局」の受信状況が確認された後、この「２ｃｈ：Ｂ放送局」の次には、「３ｃｈ：Ｃ放送局」が登録されている。よって、「２ｃｈ：Ｂ放送局」は、選局リストの最後尾ではない。
【００７８】
このため、ＴＶ視聴制御部１３０では、「２ｃｈ：Ｂ放送局」の受信状況確認の後、チューナ制御部１３２が、次に登録されている「３ｃｈ：Ｃ放送局」のチャネルを選局し、チューナ部１４０を介して、「３ｃｈ：Ｃ放送局」のチャネルをスキャンする。
【００７９】
図４（ｃ）では、「２ｃｈ：Ｂ放送局」の受信状況表示画像が、リアルタイム性を有する表示画像から非リアルタイム性を有する表示画像、つまり、蓄積中のデータである事を示す受信状況表示画像に切り替えられた状態（Ｐ５）で表示されている。加えて、「３ｃｈ：Ｃ放送局」のチャネルがチューナ部１４０によりスキャンされており、その受信状況が、受信状況表示制御部１３４によりリアルタイム性を有する表示画像Ｐ６で示されている。
【００８０】
ここでは、「３ｃｈ：Ｃ放送局」の受信状況表示画像Ｐ６として、受信状況をバー１本Ｐ７で表示し、受信するには弱い電界強度であることが示されている。なお、「２ｃｈ：Ｂ放送局」の受信状況を示す表示画像Ｐ５は、受信状況がやや弱い状態であることを、受信電界強度を示すバー２本Ｐ８で示しており、この状態のまま、非リアルタイム性を示す表示に切り替え表示されている。
【００８１】
同様に、図４（ｄ）は、ＴＶ視聴制御部１３０により、選局リストにおける「３ｃｈ：Ｃ放送局」の受信状況が確認された後、ＴＶ視聴制御部１３０が「４ｃｈ：Ｄ放送局」の受信状況を確認している状態を示している。なお、この図４（ｄ）では「３ｃｈ：Ｃ放送局」の受信状況表示画像Ｐ９が、リアルタイム性を有する表示画像から非リアルタイム性を有する表示画像、つまり、蓄積中のデータである事を示す表示画像に切り替えられた状態で表示されている。
【００８２】
この図４（ｄ）に示すチャネル表示「４ｃｈ：Ｄ放送局」では、当該チャネルが受信不能であることを示すものとして「×」で受信状況を画像表示している。
【００８３】
ここで、図３に戻ってステップＳ３１０からの処理について説明する。
【００８４】
ステップＳ３１０では、ＴＶ視聴制御部１３０は、チューナ制御部１３２を介して、選局リストに登録されているチャネル毎に、それぞれのチャネルを設定したスキャン回数を実施したか否かを判定する。
【００８５】
ステップＳ３１０において、設定した回数分、スキャンを実施し、受信状況を確認する処理を実施していれば、ステップＳ３１１に移行し、実施していなければステップＳ３０２に戻り、設定した回数に至るまで処理を繰り返す。
【００８６】
ステップＳ３１１では、ＴＶ視聴制御部１３０が、表示部１１２に表示している選局リストにおいて視聴可能なチャネル、つまり受信可能なチャネルがあったか否かを判定する。具体的には、ステップＳ３１１では、受信状況判断部１３３が、選局リストのチャネルに対して行った受信状況の確認において視聴可能と判断したものがあれば、ステップＳ３１２に移行し、無ければ、ステップＳ３１３に移行する。
【００８７】
ステップＳ３１２では、ＴＶ視聴制御部１３０が、メイン制御部１２０を介して、キー入力部１１０から、選局リストに登録されたチャネルを選択した信号、又は視聴停止を選択した信号が入力されたか否かによって、ＴＶ視聴するか否かを判定する。ステップＳ３１２において、選局リストのチャネルが選択されていれば、ステップＳ２０７に戻り、視聴停止が選択されれば、処理を終了する。
【００８８】
ステップＳ３１３では、ＴＶ視聴制御部１３０は、表示部１１２に表示されるとともに登録されたチャネルの受信状況が確認された選局リスト以外に、チャネルが登録された他の選局リストが登録、つまり保存されているか否かを判定する。
【００８９】
具体的に、ステップＳ３１３では、チューナ部１４０が、選局リスト表示制御部１３６によりメイン制御部１２０のメモリ制御部１２５を介してメモリ１１４に記憶された選局リストの有無を判定する。選局リストは、選局リスト処理部１３５により、受信可能なチャネルがある場合に生成されてメモリ１１４に保存されている。このようにメモリ１１４に保存された選局リストがあれば、ステップＳ３１４に移行し、無ければステップＳ３１５に移行する。
【００９０】
ステップＳ３１４では、選局リスト表示制御部１３６によって、表示部１１２に表示されている選局リスト以外の、チャネルが登録されている選局リストをメモリ１１４から読み出して、先の選局リストに代えて表示部１１２に表示して、ステップＳ３０２に戻る。この処理により、新たに表示部１１２に表示された選局リストのチャネルに対して、先の選局リストのチャネルに対する処理と同様に、受信状況の確認処理が行われる。
【００９１】
図５は、本発明の一実施の形態に係る放送受信機能付き携帯端末の動作に対応する表示部の表示例を示す図である。具体的に、図５は表示された選局リストの次に登録されている選局リストにおけるチャネルの受信状況の確認を行う際の表示部における表示例を示す。なお、図５は、「選局リストＮｏ．１」において一覧表示されたチャネルの受信状況を確認した後で表示した「選局リストＮｏ．２」のチャネルの受信状態を確認する際の表示例を示している。
【００９２】
図５（ａ）では、「選局リストＮｏ．１」に登録されたチャネルに対して全て受信状況を確認した際の表示画面２０３が表示部１１２に表示されている。
【００９３】
この図５（ａ）に示す表示画面２０３では、「選局リストＮｏ．１」に示す「１ｃｈ：Ａ放送局」、「２ｃｈ：Ｂ放送局」、「３ｃｈ：Ｃ放送局」及び「４ｃｈ：Ｄ放送局」のそれぞれのチャネルにおいて受信可能なチャネルが存在していない。
【００９４】
つまり、図５（ａ）の表示状態は、図３のステップＳ３１１において、視聴可能なチャネルが無かった場合に相当し、ステップＳ３１１の後、ステップＳ３１３を経て、ステップＳ３１４の処理を行うことによって、図５（ｂ）の表示画面２０４となる。つまり、この図５（ｂ）は、選局リスト表示制御部１３６によって、図５（ａ）の「選局リストＮｏ．１」に代えて「選局リストＮｏ．２」が表示されたものである。
【００９５】
なお、図５（ｂ）から図５（ｄ）は、ＴＶ視聴制御部１３０によって、「選局リストＮｏ．２」に登録されたチャネル（「１１ｃｈ：Ｅ放送局」、「１２ｃｈ：Ｆ放送局」、「１３ｃｈ：Ｇ放送局」、「１４ｃｈ：Ｈ放送局」）に対して、順に受信状況を確認した際の表示部１１２における表示画面２０４〜２０６を示している。
【００９６】
図３に示すステップＳ３１５では、ＴＶ視聴制御部１３０において、選局リスト処理部１３５が選局リストを作成可能か、つまり選局リストを新たに登録できるか否かを判定する。選局リストを新たに作成可能であれば、ステップＳ３１６に移行し、可能でなければ、チャネルの受信状況確認処理は終了する。
【００９７】
ステップＳ３１６では、ＴＶ視聴制御部１３０は、全チャネルに対するチャネルサーチを行い、そのサーチ結果に基づいて選局リストを新規に登録する。
【００９８】
具体的には、ステップＳ３１６では、チューナ制御部１３２が、チューナ部１４０を介して、受信する放送信号に対して全チャネルスキャンサーチを実施する。そして、受信状況判断部１３３が、チューナ制御部１３２によりサーチされたチャネルのうち、受信可能なチャネルを判定する。この判定結果により、選局リスト処理部１３５が、受信可能なチャネルを選局リストとして登録する。この選局リストは、メイン制御部１２０のメモリ制御部１２５を介して、メモリ１１４に新規の選局リストとして記憶（登録）され、ステップＳ３１７に移行する。
【００９９】
ステップＳ３１７では、選局リスト処理部１３５により作成された新規の選局リストを選局リスト表示制御部１３６により、メイン制御部１２０の表示制御部１２４を介して表示部１１２に表示して、ステップＳ３０２に戻り、処理を繰り返す。
【０１００】
このように、本実施の形態の携帯端末１００によれば、登録された選局リストを表示部１１２に表示するに際し、選局リストのチャネルとともに、選局リストのチャネルのそれぞれ対応した受信状況を、リアルタイム性或いは非リアルタイム性を有する表示画像で表示する。表示部１１２に選局リストのチャネルに対応して表示される受信状況表示画像は、リアルタイム性或いは非リアルタイム性のいずれかを示すととともに、受信電界強度も段階的に示す形態で表示する。
【０１０１】
これにより、ユーザは、選局リストから視聴するチャネルを選択する際に、どのチャネルが実際に視聴可能であるか、更には、どの程度の受信電界強度で視聴できるかを、チャネルを実際に選択することなく一瞥して視認して容易に確認することができる。
【０１０２】
なお、本実施の形態の携帯端末１００では、ＴＶ視聴制御部１３０により制御されるチューナ部１４０は一つとしているが、これに限らず複数のチューナ部を有し、これらチューナ部をそれぞれ用いて上述の処理を行うようにしてもよい。この構成によれば、ＴＶ視聴制御部１３０では、選局リスト表示制御部１３６により選局リストを表示部１１２に表示し、受信状況判断部１３３、受信状況表示制御部１３４によって、選局リストにおける複数のチャネルの受信状況表示画像を、リアルタイム性を有する表示形態で、一度に表示させることができる。
【０１０３】
本発明の第１の態様に係る放送受信機能付き携帯端末は、放送信号を受信する受信手段と、前記受信手段により受信した放送信号のチャネルが登録されるチャネルリストを作成するリスト作成手段と、作成された前記チャネルリストを表示部に表示するリスト表示手段と、前記受信手段を制御して、前記チャネルリストに登録された前記チャネルをスキャンして、前記チャネルの受信状況を判断する受信状況判断手段と、前記受信状況判断手段で判断される前記チャネルの受信状況を表示画像として、前記表示部に表示されている前記チャネルリスト上に、対応する前記チャネルに関連付けて表示する受信状況表示手段とを備える構成を採る。
【０１０４】
この構成によれば、表示部に表示されるチャネルリストでは、チャネルに対応して、当該チャネルの受信状況を示す表示画像が表示される。
【０１０５】
これにより、チャネルリスト上に、現在位置において実際に受信可能な放送チャネルと、受信不可能な放送チャネルとが表示画像として表示されることとなり、ユーザに視認させて、現在位置において視聴可能なチャネルの受信状況を容易に確認させることができる。
【０１０６】
本発明の第２の態様に係る放送受信機能付き携帯端末は、上記構成において、前記受信状況表示手段は、前記表示画像を、前記受信状況判断手段での判断時点からの経過時間に応じて、異なる表示形態で表示する構成を採る。
【０１０７】
この構成によれば、表示部に表示されているチャネルの受信状況を示す表示画像によって、そのチャネルの受信状況を、リアルタイムな受信状況であるか、非リアルタイムな受信状況であるかを容易に視認させることができる。
【０１０８】
本発明の第３の態様に係る放送受信機能付き携帯端末は、上記構成において、前記受信状況表示手段は、前記表示画像を、前記受信状況判断手段により判断されたチャネルの受信状況を示す受信電界強度の度合に対応した表示形態で表示する構成を採る。
【０１０９】
この構成によれば、表示部に表示されているチャネルの受信状況を示す表示画像によって、そのチャネルの受信可能性を容易に判断させることができる。
【０１１０】
本発明の第４の態様に係る放送受信機能付き携帯端末は、上記構成において、前記リスト作成手段は、前記受信手段の受信位置に対応してチャネルリストを作成するものであり、前記リスト作成手段により作成された前記チャネルリストを記憶する記憶手段と、前記受信状況判断手段によって、前記表示部に表示されているチャネルリストにおけるチャネルの受信状況が受信不可状況であると判断された場合、前記記憶手段に記憶されている他のチャネルリストを選択する選択手段とを有し、前記選択手段により前記他のチャネルリストが選択される場合、前記リスト表示手段は、前記表示部に表示されているチャネルリストを前記他のチャネルリストに切り替えて表示するとともに、前記受信状況判断手段は、前記他のチャネルリストにおけるチャネルの受信状況を判断する構成を採る。
【０１１１】
この構成によれば、表示部に表示されているチャネルリストに受信可能なチャネルが無い場合でも、受信可能なチャネルを探して表示させることができる。
【０１１２】
本発明の第５の態様に係る放送受信機能付き携帯端末は、上記構成において、前記受信状況判断手段が前記チャネルリストのチャネルの受信状況を判断して、前記チャネルリストの全てのチャネルを受信不可であると判断した場合、前記受信手段を用いてチャネルサーチを行い、前記リスト作成手段に新規のチャネルリストを作成させる制御手段を有する構成を採る。
【０１１３】
この構成によれば、表示部に表示されているチャネルリストに受信可能なチャネルが無い場合でも、受信可能なチャネルをチャネルリストとして表示させることができる。
【０１１４】
本発明の第６の態様に係るチャネル表示方法は、受信した放送信号のチャネルが登録されるチャネルリストを作成するリスト作成ステップと、作成された前記チャネルリストを表示部に表示するリスト表示ステップと、前記チャネルリストに登録された前記チャネルをスキャンして、前記チャネルの受信状況を判断する受信状況判断ステップと、前記受信状況判断ステップで判断される前記チャネルの受信状況を示す表示画像を、前記表示部に表示されている前記チャネルリスト上に、対応する前記チャネルに関連付けて表示する受信状況表示ステップとを有するようにした。
【０１１５】
この方法によれば、表示部に表示されるチャネルリストに、視聴されるべきチャネルとともに、当該チャネルに対応した受信状況を表示することができる。よって、チャネルリスト上に、現在位置において実際に受信可能な放送チャネルと、受信不可能な放送チャネルとが表示画像として表示させて、受信可能なチャネルを容易に視認させることができる。
【０１１６】
なお、ここでは、本発明をハードウェアで構成する場合を例にとって説明したが、本発明をソフトウェアで実現することも可能である。例えば、本発明に係る〜方法のアルゴリズムをプログラミング言語によって記述し、このプログラムをメモリに記憶しておいて情報処理手段によって実行させることにより、本発明に係る〜装置と同様の機能を実現することができる。
【産業上の利用可能性】
【０１１７】
本発明に係る放送受信機能付き携帯端末は、現在位置において視聴可能なチャネルの受信状況を容易に確認させることができる効果を有し地上波デジタル放送を受信する機能を有する携帯電話機等として有用である。
【図面の簡単な説明】
【０１１８】
【図１】本発明の一実施の形態に係る放送受信機能付き携帯端末の構成を示すブロック図
【図２】本発明の一実施の形態に係る放送受信機能付き携帯端末でＴＶ視聴を行う際の動作を説明するためのフローチャート
【図３Ａ】本発明の一実施の形態に係る放送受信機能付き携帯端末の動作を説明するためのフローチャート
【図３Ｂ】本発明の一実施の形態に係る放送受信機能付き携帯端末の動作を説明するためのフローチャート
【図４】本発明の一実施の形態に係る放送受信機能付き携帯端末の動作に対応する表示部の表示例を示す図
【図５】本発明の一実施の形態に係る放送受信機能付き携帯端末の動作に対応する表示部の表示例を示す図
【符号の説明】
【０１１９】
１００  放送受信機能付き携帯端末
１１２  表示部
１１４  メモリ
１２０  メイン制御部
１３０  ＴＶ視聴制御部
１３２  チューナ制御部
１３３  受信状況判断部
１３４  受信状況表示制御部
１３５  選局リスト処理部
１３６  選局リスト表示制御部
１４０  チューナ部
【図１】
2008092527.tif 000003
【図２】
2008092527.tif 000004
【図３Ａ】
2008092527.tif 000005
【図３Ｂ】
2008092527.tif 000006
【図４】
2008092527.tif 000007
【図５】
2008092527.tif 000008